(57)【要約】      （修正有）【課題】在来工法や２×４工法の木造軸組に，耐力壁併用ラーメンとして、接合部を留仕口に加工した通直集成材ラーメン構法を提供する。【解決手段】ラーメン柱１ブロック柱頭と梁２のコア部によるモーメント抵抗接合部の仕口を、仕口部に角度を設けて繊維方向の木口どうしが接合するように本実加工し接着剤を塗布した留仕口に、コア部の両側面に接着材を塗布した添板９を釘等で固定し、更に矩折金物１１や平金物１２等の補強金物で補強し、ラーメン梁２接合部上下面とラーメン柱１の柱脚部にも引寄金物１０を設ける。柱脚を基礎のアンカーボルトに引寄金物１０で緊結して、ラーメン柱１の建方を行い、ラーメン柱１のブラケット２ａの梁接合用継手に接着剤を塗布してラーメン梁２の梁継手を装着し、ラーメン柱及びラーメン梁の引寄金物１０をボルトで緊結して、更に接合部の側面に、接着材を塗布したガゼットプレートを、釘等で固定して接合させる。【選択図】図１７
2010121432.tif 000002
【特許請求の範囲】
【請求項１】
通直集成材の柱とブラケットを留仕口に加工しブラケット端部に継手を加工したラーメン柱
【請求項２】
通直集成材の柱とブラケットをホゾ仕口に加工しブラケット端部に継手を加工した連続梁ラーメン柱
【請求項３】
請求項１及び請求項２の通直集成材によるラーメン柱と梁の端部に継手を加工したラーメン梁を接続し引寄せ金物やガゼットプレートで緊結した通直集成材によるラーメン構法
【発明の詳細な説明】
【技術分野】
【０００１】本発明は通直集成材を用いたラーメン構造の構法に関するものである
【背景技術】
【０００２】従来の木構造軸組の柱と梁のモーメント抵抗接合仕口工法による通直集成材を用いたラーメン構造は、大断面構造が主流で、門型ラーメンや山形ラーメンがあるが、木造住宅用の小断面構造による軸組には、接合部の強度や耐火の問題があり、日本では普及していなかつたが、近年木造住宅等で、在来軸組工法や２×４工法に混在させて使用させる、耐力壁併用ラーメンが普及してきた。【０００３】通直集成材を用いたラーメン構造の架構方式は
１  １方向ラーメン、２方向ラーメン
２  門型ラーメン、連続梁ラーメン
３  工法により、柱勝ち工法と梁勝ち工法等がある【０００４】通直集成材を用いたラーメン構造の接合仕口には
１  鋼板添え板型接合
２  合わせ梁＋シアファスナー型接合
３  引張ボルト型接合
４  特殊棒鋼挿入型接合
５  鋼板挿入型接合等がある
【発明の開示】
【発明が解決しようとする課題】
【０００５】解決しようとする通直集成材を用いたラーメン構造には、大断面ラーメン及び耐力壁併用ラーメン等に、下記のような問題がある。【０００６】従来の通直集成材を用いたラーメン構造の仕口の問題。
１  柱頭に梁接合用の挿入板や、挿入棒鋼等の大掛かりな仕口接続金物が必要。
２  柱と梁に仕口接続金物挿入用加工、及び固定用のボルトやドリフトピン用穴加工が必要。
３  柱頭部の梁接合用仕口に、挿入板や挿入棒鋼を挿入して、ボルトやラグスクリューウ及びドリフトピン等で固定するので、ボルト穴加工の遊びやボルト等の曲がりによる、めり込み等の問題で、初期応力が低い。
４  木造ラーメン柱と梁の仕口は、木材の異方性により、繊維方向と半径方向や接線方向との垂直接合になり、めり込み応力は、せん断応力の  １／１０しか発源できない。
５  木造ラーメンの許容応力は、仕口金物の精度と木材のプレカット精度に左右される。
６  柱脚と基礎の緊結に、大掛かりな基礎緊結用金物を使用している。
７  連続梁ラーメン工法が難しい。【０００７】施工等の問題
１  鉄骨ラーメンのように、柱先行建方が出来ない。
２  現場建方時に、柱と梁を仮組するので、狭い現場では、施工性が悪いし、時間がかかる。
３  スパン方向ラーメンに、桁行方向梁仕口の断面欠損が生じる。
４  桁行方向梁仕口は、ユーザーの工場加工か、現場合わせの金物工法になる。
【課題を解決するための手段】
【０００８】  以上の様な課題を解決する為に、この発明ではボルトやドリフトピンによる、金物工法を排し木造軸組の
１．ラーメン柱の柱頭部を、留仕口に切断し本実加工する。［図１、２］
２．ラーメン柱の柱頭部用、ブラケットの仕口部を、留仕口に切断し本実加工して、梁接合側に梁継手加工をする。［図３、４、５］
尚、梁継手には下記の様な継手がある。
日本の伝統的な継手
Ａ、基本形：突き付，相欠き、殺ぎ、目違い、蟻，鎌、略鎌、竿、いすか、箱，等がある。
Ｂ、仕様用途と組合せにより：腰掛け蟻継ぎ、腰掛け鎌継ぎ、目違い大鎌継ぎ、大持ち継ぎ、追掛け大栓継ぎ、金輪継ぎ，尻挟み継ぎ、竿車知継等があり、金物を使用することなく木材を継ぐことが出来る。本発明の梁用継手は、殺ぎ継手に本実加工した継手を使用する。
３．ラーメン柱の柱頭留仕口に、接着剤を塗布する。
４．ブラケットの留仕口を、ラーメン柱の柱頭留仕口に装着して、本実部に側面より釘を打ち込み、柱とブラケットのコア部を形成する。
尚、釘には丸釘、太め釘等があり、ネジを使用しても効果は同じ。
５．ラーメン柱、柱頭とブラケットのコア部に、接着剤を塗布した添え板を、両側面より釘を打ち込み固定して、更に矩折金物や平金物で、柱頭とブラケットを補強する。［図６、７］
尚、添え板には、鋼板、構造用合板、構造用合板にアラミド繊維を張り付けた、添え板等がある。
６．上記のラーメン柱、ブラケット上下面に、引寄金物を設ける。［図６、７］
尚、引寄せ金物は、現場で建方時に設けてもよい。
７．ラーメン柱ブロック柱脚部に、引寄金物を設ける。［図８、９］
尚、引き寄せ金物は、現場で建方時に設けても良い。
８．ラーメン梁両端に、柱接合用継手（殺ぎ継手に本実加工した継手）を加工し、上下面に引寄金物を設けたラーメン梁。［図１５、１６］
尚、引き寄せ金物は、現場建方時に設けても良い。
９．ラーメン柱ブラケットの梁接合継手（殺ぎ継手に本実加工した継手）に、接着剤を塗布し、ラーメン梁の柱接合継手（殺ぎ継手に本実加工した継手）を装着させ、引寄金物により緊結し、継手の本実部に側面より釘を打ち込み、更に両側面に接着剤を塗布した、ガゼットプレートを釘等で固定して補強し、ラーメン柱とラーメン梁を接合させた、通直集成材ラーメン構法。［図１７、２１］  尚、ガゼットプレートには、鋼板、構造用合板、構造用合板にアラミド繊維を張り付けたガゼットプレート等がある。【０００９】ラーメン柱ブロック柱頭と、梁のコア部によるモーメント抵抗接合部の仕口を、従来の直角方向による接合を改め、仕口部に角度を設けて、繊維方向の木口どうしが接合するように加工し、更に木口部を本実加工にして、接合面積を増大させて接着剤を塗布した留め仕口に、ブラケットの木口部を、本実加工にした、留め仕口を挿入して初期応力を負担させ、更に本実の側面より釘を打ち込み、せん断応力に粘りを発現させた、ラーメン柱の柱頭の柱と、ブラケットによるコア部の両側面に、接着材を塗布した添板を釘等で固定し、異方性による、めり込み許容応力を高め、さらに矩折金物や平金物等の補強金物で、柱とブラケットを補強し、ラーメン梁接合部上下面に、引寄金物を設け、更にラーメン柱の柱脚部にも引寄金物を設け、この柱脚を基礎のアンカーボルトに引寄金物で緊結して、ラーメン柱の建方を行い、ラーメン柱のブラケットの梁接合用継手に、接着剤を塗布し、これにラーメン梁の梁継手を装着し、ラーメン柱及びラーメン梁の引寄金物に、ボルトを介して柱と梁を緊結させ、更に継ぎ手仕口の本実の側面より釘を打ち込み、せん断応力に粘りを発現させ、更に、接合部の強度が増すよう、接合部の側面に接着材を塗布したガゼットプレートを、釘等で固定して接合させた、ラーメン柱とラーメン梁によるモーメント抵抗接合、通直集成材ラーメン。［図１７、２１］
尚、柱及び梁に設ける引き寄せ金物は、現場で建て方時に設けてもよい。
【発明の効果】
【００１０】本発明のラーメン構法は、従来の門型ラーメンより柱頭接合部の、めり込み許容応力が高く、木造住宅の軸組に使用すると狭小間口の住宅や長スパン開口の木造住宅の強度が向上する。【００１１】本発明のラーメン構法は、現場建方時に柱と梁の仮組が不要で、鉄骨ラーメン工事と同じように、柱先行で建方が出来る。
【発明を実施するための最良の形態】
【００１２】本発明のラーメン構法は、柱と梁のコア部によるモーメント抵抗接合部の仕口を、柱と梁部材のブラケット式にし、従来の直角方向による接合を改め、仕口部に角度を設けた留め仕口にして、繊維方向の木口どうしが、接合するように加工し異方性による、めり込み応力を減少させ、更に木口部を本実加工にして接合面積を増大させて接着剤を塗布した仕口に、初期応力を負担させ、更に本実の側面より釘を打ち込み、せん断応力に粘りを発現させたラーメン柱の柱頭とブラケットのコア部の両側面に、接着剤を塗布した添板を釘等で補強し、更に矩折金物や平金物等の補強金物で柱頭を補強したラーメン柱。［図６、７］の柱脚部に、引寄金物を設けたラーメン柱［図８、９］尚、ラーメン柱のブラケットの梁接合用継手（殺ぎ継手に本実加工した継手）及び、梁の両端仕口に柱接合用継手（殺ぎ継手に本実加工した継手）の上下面に、引寄金物を設けたラーメン梁［図１５、１６］による工法である。【００１３】本発明のラーメン構法の現場建方は、現場の基礎に、土台を取付け、これに、上記のラーメン柱の柱脚を、基礎のアンカーボルトに、引寄金物で緊結してラーメン柱を建て、ラーメン柱のブラケット部梁接合用仕口に、接着材を塗布し、これにラーメン梁の柱接合用仕口を装着し、ラーメン柱及びラーメン梁の引寄金物により、柱と梁を緊結させ更に、継ぎ手仕口の、本実部に釘を打ち込み、せん断応力に粘りを発現させて更に、柱と梁の接合部に、接着材を塗布したガゼットプレートを、側面に装着し釘を打ち込み、せん断応力に粘りを発現させて接合させた、ラーメン柱とラーメン梁による、通直集成材ラーメン構法。［図１７、２１］
【実施例１】
【００１４】ラーメン柱の柱頭部、（柱−梁ブラケットのコア部）を留め仕口に切断し本実加工した仕口［図１、２］
【実施例２】
【００１５】ラーメン柱ブラケットの、柱とのコア部を、留め仕口に切断し、本実加工した仕口の、梁接合側を継手（殺ぎ継手に本実加工した継手）加工したブラケット。［図３、４、５］
【実施例３】
【００１６】ラーメン柱の柱頭仕口に、接着剤を塗布し此れに、ブラケットの仕口を装着して、本実部に釘を打ち込み、更に柱と梁のコア部の両面に、接着剤を塗布した添え板を側面より釘を打ち込み、更に矩折金物や平金物等の補強金物で、柱頭を補強したラーメン柱。［図６、７］
【実施例４】
【００１７】ラーメン柱に、引寄金物を設けた柱脚。［図８、９］
【実施例５】
【００１８】梁の両端部を、殺ぎ継手に本実加工した梁の上下面に、引寄金物を設けたラーメン梁。［図１５、１６］
【実施例６】
【００１９】柱頭部に角度を設けて切断し、ホゾ加工した連続ラーメン柱の仕口。［図１０、１１］
【実施例７】
【００２０】ラーメン柱ブラケットのコア部に、角度を設けた、ホゾ穴を加工し、柱接合部殺ぎ継手に本実加工した仕口を設け、仕口の上下面に引寄金物を設けた、連続ラーメン柱のブラケット。［図１２、１３］
【実施例８】
【００２１】連続梁ラーメン柱ブラケット、コア部仕口に接着剤を塗布し、此れに連続用ラーメン柱の柱頭仕口のホゾ部を装着して、コアの側面より釘を打ち込み、更に柱と梁のコア部の両面に、接着剤を塗布した添え板を側面より釘で固定して、更に矩折金物や平金物等の補強金物で柱頭を補強した連続ラーメン柱の柱頭部。［図１４］
【実施例９】
【００２２】ラーメン柱のブラケット部の梁接合継手に、接着剤を塗布し、これにラーメン梁の柱接継手を装着させ、引寄金物により緊結させ、継ぎ手仕口の、本実部に釘を打ち込み、せん断応力に粘りを発現させて、更に接着剤を塗布した、ガゼットプレートを側面より釘で固定して、せん断応力に粘りを発現させ、ラーメン柱とラーメン梁を組立てた、通直集成材ラーメン構法。［図１７、２１］
【実施例１０】
【００２３】実施例９の上部に、在来軸組の床組を設けた、通直集成材ラーメン構法［図１８］。
【実施例１１】
【００２４】実施例９の上部に、束を設けて在来軸組の床組を設けた、通直集成材ラーメン構法。［図１９］【００２５】実施例９のブラケットを、片持梁式にした、通直集成材ラーメン構法。［図２２］【００２６】実施例９のラーメン梁の梁成が、ラーメン柱のブラケットより、梁成が大きなラーメン梁を接続した、建方例の、通直集成材ラーメン構法［図２３］
尚，上記各実施例に「接着剤塗布」の記載があるがこの接着剤塗布記載を削除しても、本発明のラーメン構法は、実施できる。
【産業上の利用可能性】
【００２７】本発明のラーメン構法は、耐力壁併用ラーメンとして、在来工法や２×４工法の狭小間口や、ガレージ等を設けた住宅に混在して建設出来る。【００２８】本発明のラーメン構法は、連続梁ラーメン架構が出来る【００２９】  本発明のラーメン構法は、鉄骨ラーメンの様に、柱先行工法の建方が出来るし、現場建方時の施工性が良く、建方の時間が短縮できる。【００３０】本発明のラーメン構法は、柱頭のブラケット部を変更することなく、梁成を自由に変更できるので、施工性に優れ経済的。【００３１】本発明のラーメン構法を、床組の下部に使用すると、ラーメンの桁行方向梁仕口加工が不要、また、鉛直力と水平力を分けて計算できる。【００３２】本発明のラーメン構法は、片持梁工法が出来る。【００３３】本発明のラーメン構法は、Ｌ型やＴ型に組み合わせる事により、２方向ラーメンとして木造軸組に利用できるし、壁なしの長スパン開口や大空間建築が建設できる。【００３４】本発明のラーメン構法は、木造住宅等のリフォームに使用すると耐力壁付柱と、耐力壁を撤去できるので大空間が取れる
【図面の簡単な説明】
【００３５】
【００３６】
【図１】ラーメン柱、柱頭部の正面図
【図２】ラーメン柱、柱頭部の側面図
【図３】ラーメン柱ブラケットの正面図
【図４】ラーメン柱ブラケットの側面図
【図５】ラーメン柱、柱頭部持出梁用ブラケットの側面図
【図６】ラーメン柱、柱頭部にブラケットを固定した平面図
【図７】ラーメン柱、柱頭部にブラケットを固定した側面図
【図８】ラーメン柱、柱却部の側面図
【図９】ラーメン柱、柱却部の正面図
【図１０】連続梁ラーメン柱、柱頭部の正面図
【図１１】連続梁ラーメン柱柱却部の側面図
【図１２】連続梁ラーメン柱ブラケットの平面図
【図１３】連続梁ラーメン柱ブラケットの側面図
【図１４】連続梁ラーメン柱、柱頭部にブラケットを固定した側面図
【図１５】ラーメン梁の平面図
【図１６】ラーメン梁の側面図
【図１７】ラーメン柱にラーメン梁を接続した通直集成材ラーメン構法の側面図
【図１８】床組の下部に、図１７の通直集成材ラーメンを固定した側面図
【図１９】床組の下部に、束及び方杖や補強板で、図１７の通直集成材ラーメンを固定した側面図
【図２０】床組の下部に、束及び方杖で、図１７の通直集成材ラーメンを固定した断面図。
【図２１】ラーメン柱にラーメン梁を接続した門型、通直集成材ラーメン構法の側面図。
【図２２】ラーメン柱にラーメン梁を接続した、片持梁付門型、通直集成材ラーメン構法の側面図。
【図２３】ラーメン柱のブラケットより、梁成が大きなラーメン梁を接続した、通直集成材ラーメンの側面図。
【符号の説明】
【００３７】１  ラーメ柱、１ｂ  留仕口本実凸加工、１ｃ  ホゾ凸加工、１ｄ  ホゾ穴、
１ｅ  留仕口本実凹加工
２  ラーメン梁、２ａ  ブラケット、２ｂ  両方向ブラケット、２ｃ  片持梁、
２ｄ  殺ぎ継手本実凸加工、２ｅ  殺ぎ継手本実凹加工
３  床組部材（梁）、３ｃ  床組部材（片持梁）
４  柱
５  土台，５ａ  土台パッキン
６  束
７  基礎、７ａ  アンカーボルト
８  引張用ガゼットプレート
９  添板、９ａ  補強板、９ｂ  受木
１０  引寄金物、１０ａ  ボルト
１１  矩折金物（リブ付）
１２  平金物
１３  ガゼットプレート
１４  方杖
【図１】
2010121432.tif 000003
【図２】
2010121432.tif 000004
【図３】
2010121432.tif 000005
【図４】
2010121432.tif 000006
【図５】
2010121432.tif 000007
【図６】
2010121432.tif 000008
【図７】
2010121432.tif 000009
【図８】
2010121432.tif 000010
【図９】
2010121432.tif 000011
【図１０】
2010121432.tif 000012
【図１１】
2010121432.tif 000013
【図１２】
2010121432.tif 000014
【図１３】
2010121432.tif 000015
【図１４】
2010121432.tif 000016
【図１５】
2010121432.tif 000017
【図１６】
2010121432.tif 000018
【図１７】
2010121432.tif 000019
【図１８】
2010121432.tif 000020
【図１９】
2010121432.tif 000021
【図２０】
2010121432.tif 000022
【図２１】
2010121432.tif 000023
【図２２】
2010121432.tif 000024
【図２３】
2010121432.tif 000025